(57)【要約】【課題】ユーザーの動作に応じて適切な画像の投影を行うプロジェクターを備えた電気掃除機を提供する。【解決手段】吸引部と、把持部と、投影領域に画像を投影する投影部とを備えた電気掃除機であって、前記投影部は、ユーザーの掃除動作に係る画像または前記電気掃除機に関する情報を有する画像を前記投影領域に投影し、前記投影領域は、前記吸引部の周辺にあることを特徴とする電気掃除機。【選択図】図３
2020010888.tif 000002
【特許請求の範囲】
【請求項１】
吸引部と、把持部と、投影領域に画像を投影する投影部とを備えた電気掃除機であって、
前記投影部は、ユーザーの掃除動作に係る画像または前記電気掃除機に関する情報を有する画像を前記投影領域に投影し、
前記投影領域は、前記吸引部の周辺にあることを特徴とする電気掃除機。
【請求項２】
前記投影部は、複数の投影領域に前記画像を投影可能に構成され、
前記複数の投影領域を切り替えて任意の一の前記投影領域に前記画像を投影するか、または任意の２以上の前記投影領域に同時に前記画像を投影する請求項１に記載の電気掃除機。
【請求項３】
吸引部と、把持部と、掃除機本体とを備え、
前記掃除機本体は、空気から塵埃を分離して集塵する集塵ユニットと、前記吸引部から前記集塵ユニットを介して空気を吸引して排出口から排出する電動送風機と、前記吸引部の周辺の予め定められた複数の投影領域に切替可能に画像を投影する投影部とを備え、
前記投影部は、前記複数の投影領域のうち、ユーザーの動作または前記画像の内容に応じて予め定められた一または複数の前記投影領域に前記画像を投影することを特徴とする電気掃除機。
【請求項４】
前記吸引部または前記把持部の傾きを検知する傾き検知センサをさらに備え、
前記投影部は、前記吸引部または前記把持部の傾きに応じて、前記投影領域を切り替えて前記画像を投影する請求項１または３に記載の電気掃除機。
【請求項５】
前記吸引部または前記把持部の傾きを検知する傾き検知センサをさらに備え、
前記投影部は、前記吸引部または前記把持部の傾きに応じて、前記投影部が投影すべき画像の内容を変化させる請求項１または４に記載の電気掃除機。
【請求項６】
前記掃除機本体の各部の動作を制御し、前記吸引部または前記把持部の傾きに応じて予め定められた処理を実行する傾き制御部をさらに備え、
前記傾き制御部は、前記吸引部または前記把持部の傾きに応じて、前記画像の投影に係る予め定められた処理を実行する請求項４または５に記載の電気掃除機。
【請求項７】
障害物の位置を検知する障害物検知センサと、
前記掃除機本体の各部の動作を制御し、ユーザーの動作に応じて予め定められた処理を実行する動作制御部とをさらに備え、
前記投影部は、複数の操作用画像を含む画像を前記複数の投影領域に投影させ、
前記障害物検知センサが、前記複数の操作用画像のうち、いずれか１つの前記操作用画像に対応する位置にユーザーの身体の一部を検知したとき、
前記動作制御部は、前記操作用画像に対応した処理を実行する請求項１〜６のいずれか１つに記載の電気掃除機。
【請求項８】
前記画像の投影領域の色調を検知する色調検知部をさらに備え、
前記投影部は、前記投影領域の色調に応じて、前記画像の色調を変化させる請求項１〜７のいずれか１つに記載の電気掃除機。
【請求項９】
前記画像の投影領域の材質を検知する材質検知部をさらに備え、
前記投影部は、前記投影領域の材質に応じて、前記画像の輝度を変化させる請求項１〜８のいずれか１つに記載の電気掃除機。
【請求項１０】
前記吸引部の床面に対する移動速度を検知する速度センサをさらに備え、
前記投影部は、前記速度センサが検知した前記移動速度に基づき、掃除に適した前記移動速度を示す画像を表示する請求項１〜９のいずれか１つに記載の電気掃除機。
【発明の詳細な説明】
【技術分野】
【０００１】
本発明は、電気掃除機に関する。
【背景技術】
【０００２】
近年、プロジェクターの小型化・軽量化に伴い、外部に画像を投影するプロジェクターを備えた電気機器が知られている。
【０００３】
また、このようなプロジェクターを備えた電気掃除機の発明として、従来、筐体の走行する床面を投影面として画像を投影する投影部を備えた自走式掃除機の発明が開示されている（例えば、特許文献１参照）。
【先行技術文献】
【特許文献】
【０００４】
【特許文献１】特開２０１５−００４８６７号公報
【発明の概要】
【発明が解決しようとする課題】
【０００５】
しかしながら、これらプロジェクターを備えた従来の電気掃除機は、電池残量表示やエラー表示など、従来、表示パネルに表示していた情報をそのまま外部に投影するだけで、ユーザーに一方向に情報を提示するものに限られていた。
【０００６】
本発明は、このような課題に鑑みなされたものであり、ユーザーの動作に応じて適切な画像の投影を行うプロジェクターを備えた電気掃除機を提供することを目的とする。
【課題を解決するための手段】
【０００７】
（１）本発明によれば、吸引部と、把持部と、投影領域に画像を投影する投影部とを備えた電気掃除機であって、前記投影部は、ユーザーの掃除動作に係る画像または前記電気掃除機に関する情報を有する画像を前記投影領域に投影し、前記投影領域は、前記吸引部の周辺にあることを特徴とする電気掃除機が提供される。
また、本発明によれば、吸引部と、把持部と、掃除機本体とを備え、前記掃除機本体は、空気から塵埃を分離して集塵する集塵ユニットと、前記吸引部から前記集塵ユニットを介して空気を吸引して排出口から排出する電動送風機と、前記吸引部の周辺の予め定められた複数の投影領域に切替可能に画像を投影する投影部とを備え、前記投影部は、前記複数の投影領域のうち、ユーザーの動作または前記画像の内容に応じて予め定められた一または複数の前記投影領域に前記画像を投影することを特徴とする電気掃除機が提供される。
【発明の効果】
【０００８】
本発明によれば、ユーザーの動作に応じて適切な画像の投影を行うプロジェクターを備えた電気掃除機を実現できる。
【図面の簡単な説明】
【０００９】
【図１】本発明の実施形態１の電気掃除機の左側面図である。
【図２】図１の電気掃除機の電気的な構成を示すブロック図である。
【図３】図１の電気掃除機の投影部を用いた操作方法の一例を示す説明図である。
【図４】図１の電気掃除機の投影部から吸込口体の前後左右に投影された投影領域の一例を示す説明図である。
【図５】図１の電気掃除機の投影部から吸込口体の前方の投影領域上に投影されたユーザーへの表示用の画像の一例を示す説明図である。
【図６】図１の電気掃除機の投影部から吸込口体の後方の投影領域上に投影されたユーザーへの表示用の画像の一例を示す説明図である。
【図７】本発明の実施形態２の電気掃除機１の左側面図である。
【図８】図７の電気掃除機の電気的な構成を示すブロック図である。
【図９】図７の電気掃除機の投影部から吸込口体の後方の投影領域上に投影されたユーザー操作用の画像の一例を示す説明図である。
【図１０】図９のユーザー操作用の画像の操作手順の一例を示す説明図である。
【図１１】本発明の実施形態３の電気掃除機の電気的な構成を示すブロック図である。
【図１２】実施形態３の電気掃除機の充電台への接続時の投影部による画像の投影の一例を示す説明図である。
【図１３】本発明の実施形態４の電気掃除機の電気的な構成を示すブロック図である。
【図１４】実施形態４の電気掃除機の投影部から吸込口体の後方の投影領域上に投影されたユーザー操作用の画像の操作手順の一例を示す説明図である。
【図１５】本発明の実施形態５の電気掃除機の電気的な構成を示すブロック図である。
【図１６】実施形態５の電気掃除機の投影部から吸込口体の後方の投影領域上に投影されたユーザー操作用の画像の操作手順の一例を示す説明図である。
【図１７】本発明の実施形態６の電気掃除機の電気的な構成を示すブロック図である。
【図１８】実施形態６の電気掃除機の投影部から吸込口体の後方の投影領域上に投影されたユーザーへの表示用の画像の一例を示す説明図である。
【図１９】本発明の実施形態７の電気掃除機の電気的な構成を示すブロック図である。
【図２０】実施形態７の電気掃除機の投影部から吸込口体の前方の投影領域上に投影されたユーザーへの表示用の画像の一例を示す説明図である。
【図２１】実施形態７の電気掃除機の投影部から吸込口体の前方の投影領域上に投影されたユーザーへの表示用の画像の一例を示す説明図である。
【図２２】本発明の実施形態８の電気掃除機の電気的な構成を示すブロック図である。
【図２３】実施形態８の電気掃除機の投影部から投影領域上に投影された画像の一例を示す説明図である。
【図２４】本発明の実施形態１０の電気掃除機の電気的な構成を示すブロック図である。
【図２５】本発明の実施形態１１の電気掃除機の電気的な構成を示すブロック図である。
【図２６】本発明の実施形態１２の電気掃除機の電気的な構成を示すブロック図である。
【図２７】実施形態１２の電気掃除機の投影部から投影領域上に投影された画像の一例を示す説明図である。
【発明を実施するための形態】
【００１０】
以下、図面を参照しながら本発明の電気掃除機１の実施形態を詳説する。なお、以下の実施例の記載によって、本発明が限定されるものではない。
【００１１】
なお、以下の実施形態では、スティックタイプの電気掃除機１を例に説明するが、本発明はスティックタイプの電気掃除機１に限られず、例えば、キャニスタータイプの電気掃除機、ハンディタイプの電気掃除機や布団掃除機であってもよい。
【００１２】
また、本発明は、電気掃除機に限られず、例えば、エアコン、扇風機、空気清浄機、ＬＥＤ照明、超音波ウォッシャーなど、ユーザーが操作し、プロジェクターを搭載可能な電気機器なら何でも適用可能である。
【００１３】
（実施形態１）
図１および図２に基づき、本発明の実施形態１に係る電気掃除機１の概略構成について説明する。
【００１４】
図１は、本発明の実施形態１の電気掃除機１の左側面図である。また、図２は、図１の電気掃除機１の電気的な構成を示すブロック図である。
【００１５】
なお、以下の図面において、図１の下側および上側をそれぞれ下方および上方、図１の左側および右側をそれぞれ前方および後方、図１の手前側およびその反対側をそれぞれ左方および右方とする。
【００１６】
図１に示すように、実施形態１の電気掃除機１は、掃除機本体１０と、延長管２０と、吸込口体４０とを備える。
また、掃除機本体１０は、駆動装置１１と、駆動装置１１に着脱可能に装着されるサイクロン方式の集塵ユニット１２およびバッテリー１３と、投影部３０とを備える。
【００１７】
駆動装置１１は、電動送風機１６を内蔵する本体部１１ａと、本体部１１ａに連設されたバッテリー装着部１１ｂと、本体部１１ａとバッテリー装着部１１ｂとに連設された両端部を有するハンドル１１ｃと、ハンドル１１ｃの湾曲部に設けられた操作部１１ｅと、本体部１１ａとハンドル１１ｃとの接合部に連設されてハンドル１１ｃとは反対側へ突出する吸込筒部１１ｄとを有する。
【００１８】
バッテリー装着部１１ｂは、上方および後方に開口しかつ奥部にバッテリー１３の端子部と電気的に接続可能な端子部が設けられた凹部を有し、その凹部内に上方からバッテリー１３を挿入して装着し、バッテリー１３を上方へ引き出して凹部から取り外せるように構成されている。
【００１９】
投影部３０は、電気掃除機１の吸込口体４０の周辺の床面や壁などに画像を投影する部分である。
【００２０】
投影部３０から投影される画像情報は、記憶部１８（図２参照）に記憶されるが、外部のネットワークから情報を受信する通信部を電気掃除機１に設けて画像情報を受信し、また、当該ネットワークから受信した画像情報を記憶部１８に記憶して適宜更新するようにしてもよい。
【００２１】
図１では、集塵ユニット１２の下方に投影部３０を設けているが、延長管２０に投影部３０を設けてもよい。
例えば、延長管２０の吸込口体４０との接続部に超短焦点の小型プロジェクターを設け、吸込口体４０の周辺の床面や壁などに画像を投影するようにしてもよい。
【００２２】
また、吸込口体４０に投影部３０を設け、投影部３０への電源は、電気掃除機１の本体から既存のパワーブラシ用電源、もしくは、本体からの別電源を介して供給するようにしてもよい。
【００２３】
また、吸込口体４０に投影部３０用の電源を設けるようにしてもよい。
この場合、吸込口体４０は、投影部３０の他に、通信部および吸込口体４０に対する操作指示を検知する指示受信部をさらに備えるものとする。
【００２４】
このようにすれば、電気掃除機１の本体が旧機種であっても、吸込口体４０を交換するだけで投影部３０による床面上への画像の投影が可能となる。
【００２５】
図２に示すように、この発明の実施形態１における電気掃除機１は、制御部１００、バッテリー１３、電動送風機１６、記憶部１８、投影部３０、吸気口１６１および排出口１６２を備える。
【００２６】
制御部１００は、電気掃除機１の各構成要素の動作を制御する部分であり、主として、ＣＰＵ、ＲＯＭ、ＲＡＭ、Ｉ／Ｏコントローラ、タイマー等からなるマイクロコンピュータによって実現される。
【００２７】
ＣＰＵは、ＲＯＭ等に予め格納された制御プログラムに基づいて、各ハードウェアを有機的に動作させて、後述するようなこの発明の画像の投影制御機能や延長管２０の傾きによる電気掃除機１の各部の制御機能などを実行する。
【００２８】
また、制御部１００は、電動送風機１６のモーターを制御して、吸引部から吸気口１６１を介して外部の空気を集塵ユニット１２に吸引させ、排出口１６２から排出させる。
【００２９】
バッテリー１３は、電動送風機１６に電力を供給する部分である。
【００３０】
電動送風機１６は、モーターによる回転により吸引部から吸気口１６１を介して外部の空気を集塵ユニット１２に吸引し、排出口１６２から排出するモーター駆動式の電動送風機である。
【００３１】
また、制御部１００は、ユーザーからの操作指示に基づき、モーター駆動ＩＣに回転制御信号を送信することにより、モーターの回転数を制御する。
【００３２】
記憶部１８は、電気掃除機１の各種機能を実現するために必要な情報や、プログラムを記憶する部分であり、ＲＡＭやＲＯＭ等の半導体素子、ハードディスク、フラッシュメモリ等の記憶媒体が用いられる。
【００３３】
記憶部１８には、投影部３０の投影機能を実行するときに必要な情報（操作用画像やメッセージ等）が記憶される。
【００３４】
実施形態１において、本発明の「吸引部」は、延長管２０および吸込口体４０によって実現される。また、本発明の「把持部」は、ハンドル部１１ｃによって実現される。また、本発明の「掃除機本体」は、集塵ユニット１２、電動送風機１６および投影部３０によって実現される。また、本発明の「障害物検知センサ」は、人体検知センサ１９によって実現される。また、本発明の「色調検知部」および「材質検知部」は、床面検知センサ２４によって実現される。
【００３５】
次に、図３〜図６に基づき、本発明の実施形態１に係る電気掃除機１の投影部３０による画像の投影方法について説明する。
図３は、図１の電気掃除機１の投影部３０による画像の投影の一例を示す説明図である。また、図４は、図１の電気掃除機１の投影部３０から吸込口体４０の前後左右に投影された投影領域２０１〜２０４の一例を示す説明図である。また、図５は、図１の電気掃除機１の投影部３０から吸込口体４０の前方の投影領域２０１上に投影されたユーザーへの表示用の画像の一例を示す説明図である。また、図６は、図１の電気掃除機１の投影部３０から吸込口体４０の後方の投影領域２０４上に投影されたユーザーへの表示用の画像の一例を示す説明図である。
図３に示すように、電気掃除機１の使用状態において、投影部３０から吸込口体４０の周囲の投影領域２００に画像が投影される。
投影画像は、投影領域２００のうち、吸込口体４０の前方、後方、左方、右方等の任意の投影領域に投影される。
【００３６】
なお、スティックタイプの電気掃除機やキャニスタータイプの電気掃除機においては、延長管やホースが存在することにより掃除機本体と吸引部（特に吸込口体）とが離れている状態で使用することが多いため、吸込口体の周囲に投影領域が設けられる。
【００３７】
一方、ハンディタイプの電気掃除機や布団掃除機においては、掃除機本体と吸込口が一体化していることがあるため、吸込口体の周囲の投影領域は、掃除機本体の周囲の投影領域ということもできる。
【００３８】
図４に示すように、例えば、吸込口体４０の前方の投影領域２０１、左方の投影領域２０２、右方の投影領域２０３、後方の投影領域２０４に画像が投影される。
【００３９】
画像の投影領域の切替方法としては、例えば、投影部３０の前方に光路切替部を設け、投影箇所に応じて光路を切り替えるようにしてもよい。
また、複数の投影部３０を設け、投影すべき領域に応じて、当該複数の投影部３０を切り替えるようにしてもよい。
また、同時に複数の投影部３０を使用して、複数の領域に同時に画像を投影するようにしてもよい。
また、延長管２０の外周に沿って投影部３０を移動可能に構成してもよい。
【００４０】
また、図３の投影領域２００の全領域のうち、所望の領域のみに画像を投影し、残りの領域には、無地の背景画像を投影するようにしてもよい。
【００４１】
次に、投影領域２００に投影された画像の例を示す。
【００４２】
図５（Ａ）（Ｂ）は、図１の電気掃除機１の投影部３０から吸込口体４０の前方の投影領域２０１上に投影されたナビゲーション用の画像の一例を示す。
【００４３】
図５（Ａ）に示すように、電気掃除機１の投影部３０から吸込口体４０の前方の投影領域２０１上にナビゲーション用の矢印が表示される。
例えば、右方向への矢印を表示することで、ユーザーを当該矢印に従って右側に曲がるように促す。
【００４４】
また、図５（Ｂ）に示すように、電気掃除機１の投影部３０から吸込口体４０の前方の投影領域２０１上にユーザーへの情報の表示用の画像を投影するようにしてもよい。
【００４５】
図５（Ｂ）の例では、掃除開始時からの走行距離「３２ｍ」および残運転可能時間（バッテリー１３が持つ時間）「１５ｍｉｎ」が表示されている。
なお、掃除の実行時間を表示するようにしてもよい。
【００４６】
このように、吸込口体４０の前方の投影領域２０１は、ユーザーへの操作ガイドやナビゲーションの表示に適している。
【００４７】
また、被清掃面を明るく照らすことにより、塵埃を認識しやすくしてもよい。
【００４８】
また、図６に示すように、電気掃除機１の投影部３０から吸込口体４０の後方の投影領域２０４上にゴミの分析結果が表示される。
図６の例においては、ゴミの分析結果として、上から「ハウスダスト」、「花粉」、「ダニ」および「その他」の比率が棒グラフに示されている。
【００４９】
このように、吸込口体４０の後方の投影領域２０４は、ゴミの分析結果など、詳細な情報の表示に適している。
【００５０】
吸込口体４０の左方の投影領域２０２および右方の投影領域２０３は、壁際の掃除など、左右中央に投影する画像に歪みが発生する場合に用いる。
また、壁に投影領域２００を投影してもよい。
【００５１】
このように、ユーザーに表示すべき情報の内容に応じて、適切な領域に切り替えて画像を投影することで、ユーザーの動作に応じて適切な画像の投影を行う投影部３０を備えた電気掃除機１を実現することができる。
【００５２】
（実施形態２）
次に、図７〜図１０に基づき、本発明の実施形態２に係る電気掃除機１の投影部３０による画像の投影方法について説明する。
【００５３】
図７は、本発明の実施形態２の電気掃除機１の左側面図である。また、図８は、図７の電気掃除機１の電気的な構成を示すブロック図である。また、図９は、図７の電気掃除機１の投影部３０から吸込口体４０の後方の投影領域２０４上に投影されたユーザー操作用の画像の一例を示す説明図である。また、図１０は、図９のユーザー操作用の画像の操作手順の一例を示す説明図である。
【００５４】
図７および図８に示すように、本発明の実施形態２の電気掃除機１は、延長管２０の吸込口体４０との接続部に人体検知センサ１９を備える。
【００５５】
人体検知センサ１９は、吸込口体４０の後方に投影された投影領域２０４上に存在する足などの障害物を検知する部分であり、例えば、超音波センサ、赤外線測距センサ等の測距センサやカメラが用いられる。
【００５６】
制御部１００は、人体検知センサ１９から出力された信号に基づいて、障害物の存在する位置を認識し、当該位置情報に基づいて、投影領域２０４に投影された画像と予め関連付けられた処理を実行する。
【００５７】
例えば、図９に示すように、投影部３０は、吸込口体４０の後方の投影領域２０４上に「弱」、「中」、「強」の３種類の吸引強度を示す画像を表示させる。
【００５８】
図１０に示すように、ユーザーが床面に投影された画像のうち、所望の画像を足で踏むと、人体検知センサ１９は、足の位置を検知し、制御部１００は、当該足の位置に基づき、足で特定された画像に応じた処理を実行する。
【００５９】
図９の例において、ユーザーが「中」の画像を足で踏んだ場合は、制御部１００は、電動送風機１６を制御して吸引強度を中に設定する。
【００６０】
なお、図１０に示すように、ユーザーが足で画像を踏んだときに、選択された画像の縁部分を強調表示するようにしてもよい。
また、画像の選択または確定等の状態に応じて異なる色で画像を強調表示するようにしてもよい。
【００６１】
このようにすることで、投影された画像に応じて、足による操作が可能になるため、ユーザーの動作に応じて適切な画像の投影を行う投影部３０を備えた電気掃除機１を実現することができる。
【００６２】
従来、手元の操作部１１ｅによって操作する場合、ユーザーは、操作部１１ｅを操作するために手元に視線を向ける必要があった。
また、清掃面を見ながら操作するには、ユーザーは所望のボタンを手探りで探さなければならず、使い勝手が良くなかった。
【００６３】
しかしながら、図１０に示すように、床面に投影された画像を足で踏んで操作することにより、ユーザーは掃除の最中であっても清掃面から視線を大きくそらすことなく、掃除しながら電気掃除機１に対して適切な操作を手軽に行うことが可能となる。
【００６４】
（変形例１）
実施形態２の変形例１として、人体検知センサ１９からの距離に応じて異なる画像を床面に投影し、制御部１００は、人体検知センサ１９が検知した足の距離に応じて対応付けられた処理を実行するようにしてもよい。
【００６５】
（変形例２）
また、変形例２として、人体検知センサ１９からの方角に応じて異なる画像を床面に投影し、制御部１００は、人体検知センサ１９が検知した足の方角に応じて対応付けられた処理を実行するようにしてもよい。
【００６６】
（変形例３）
また、変形例３として、壁や立体物等に投影された画像をユーザーが足や手で選択した場合に、制御部１００は、選択された画像に応じた処理を実行するようにしてもよい。
【００６７】
（変形例４）
また、変形例４として、人体検知センサ１９を複数個設け、制御部１００は、どのセンサが足を検知したかに応じて異なる処理を実行するようにしてもよい。
【００６８】
（変形例５）
また、変形例５として、制御部１００は、ユーザーが画像を足で踏んだ回数や速さ、方向などに応じて異なる処理を実行するようにしてもよい。
例えば、ユーザーが画像を足で１回踏んだときは、当該画像が選択された状態となり、同じ画像をもう一度足で踏んだときに、当該画像の選択が確定されるようにしてもよい。
また、ユーザーが足を左右に動かす動作をしたときに、当該画像の選択状態がキャンセルされるようにしてもよい。
【００６９】
（実施形態３）
次に、図１１および図１２に基づき、本発明の実施形態３に係る電気掃除機１の投影部３０による画像の投影方法について説明する。
【００７０】
図１１は、本発明の実施形態３の電気掃除機１の電気的な構成を示すブロック図である。また、図１２は、実施形態３の電気掃除機１の充電台２への接続時の投影部３０による画像の投影の一例を示す説明図である。
【００７１】
図１１に示すように、本発明の実施形態３に係る電気掃除機１は、制御部１００、バッテリー１３、電動送風機１６、記憶部１８、投影部３０、吸気口１６１、排出口１６２および吸込口体４０の床面との接触部に充電台２の充電端子部に電気的に接続するための充電用接続部１３１を備える。
【００７２】
図１２に示すように、ユーザーは、本発明の実施形態３に係る電気掃除機１の吸込口体４０を充電台２の上に設定したとき、充電用接続部１３１が充電台２の充電端子部と電気的に接触する。
このとき、電気掃除機１のバッテリー１３は、充電台２からの電力の供給を受けて充電が行われる。
【００７３】
ここで、図１２に示すように、制御部１００は、電気掃除機１の充電台２への接続時に、投影部３０から吸込口体４０の周辺の床面上の投影領域２００にユーザーへの情報を通知する画像を投影させる。
また、充電台２が壁際に設置されているときは、画像を壁に投影させるようにしてもよい。
【００７４】
このとき投影する情報としては、例えば、適度な掃除頻度や季節に応じた掃除方法や注意事項など、掃除に関する情報であり、かつ、運転中は不要な情報などがあげられる。
【００７５】
また、充電完了などの充電状態や消耗品の消耗具合、ゴミの量などの電気掃除機１の状態を表示するようにしてもよい。
なお、ゴミの量は、電気掃除機１または充電台２に重量センサを設け、当該充電センサが検知した電気掃除機１の重量の変化から推測される。
【００７６】
また、温度センサや湿度センサ等を電気掃除機１に設け、それらのセンサの検知結果に基づき、温度や湿度、時刻、天候状態などの周囲の環境情報を表示するようにしてもよい。
【００７７】
また、外部のネットワークから情報を受信する通信部を電気掃除機１に設け、当該ネットワークから受信した情報に基づき、掃除器具の案内や電気掃除機１の最新モデルなどの広告、地震や台風などの情報、天気予報、ニュース、ユーザーの携帯端末やインターホン、炊飯器や洗濯機、湯沸かし器等の外部機器から取得した情報などを表示するようにしてもよい。
【００７８】
このように、ユーザーが電気掃除機１を充電台２に設置したときも、さまざまな情報を投影領域２００に投影させることにより、ユーザーの掃除への興味を高めることができるため、ユーザーの動作に応じて適切な画像の投影を行う投影部３０を備えた電気掃除機１を実現することができる。
【００７９】
また、電気掃除機１が人感センサを備え、電気掃除機１が充電台２に設置されている際に人感センサが人を検知した場合のみ、画像を投影するようにしてもよい。
【００８０】
（実施形態４）
次に、図１３および図１４に基づき、本発明の実施形態４に係る電気掃除機１の投影部３０から投影されたユーザー操作用の画像の操作手順について説明する。
【００８１】
図１３は、本発明の実施形態４の電気掃除機１の電気的な構成を示すブロック図である。また、図１４は、実施形態４の電気掃除機１の投影部３０から吸込口体４０の後方の投影領域２０４上に投影されたユーザー操作用の画像の操作手順の一例を示す説明図である。
【００８２】
図１３に示すように、本発明の実施形態４に係る電気掃除機１は、制御部１００、バッテリー１３、電動送風機１６、記憶部１８、投影部３０、吸気口１６１、排出口１６２および延長管２０の傾きを検知するための傾き検知センサ２１を備える。
なお、傾き検知センサ２１により、ハンドル１１ｃの傾きを検知するようにしてもよい。
【００８３】
傾き検知方法としては、例えば、加速度センサで延長管２０にかかる地球の重力加速度の大きさを測定することによって、延長管２０の傾斜方向および傾斜角度を求めることができる。
また、ジャイロセンサで延長管２０に生じた角速度を検知することによって、延長管２０の傾斜方向、傾斜角度および傾斜速度等を求めることもできる。
【００８４】
実施形態４において、図１４に示すように、投影部３０は、吸込口体４０の後方の投影領域２０４上に所定の画像を表示させる。
図１４（Ａ）においては、「１」、「２」、「３」などの数字の列が表示されている。
【００８５】
ここで、ユーザーが延長管２０を左方向に傾けたとき、制御部１００は、図１４（Ｂ）に示すように、延長管２０の傾斜に応じて投影領域２０４上に投影された画像を左方向にスクロールさせる。
【００８６】
なお、ユーザーが延長管２０を右方向に傾けたとき、制御部１００は、延長管２０の傾斜に応じて投影領域２０４上に投影された画像を右方向にスクロールさせるようにしてもよい。
【００８７】
次に、図１４（Ｃ）に示すように、所望の画像が投影領域２０４の中央にきたとき、ユーザーは、延長管２０を後方、すなわちユーザー側に傾けると、当該画像が選択される。
また、延長管２０を前方に傾けたときに、当該画像の選択状態がキャンセルされるようにしてもよい。
【００８８】
次に、図１４（Ｄ）に示すように、ユーザーは、操作部１１ｅの確定ボタンを押すことで、当該画像の選択を確定する。
【００８９】
このように、投影領域２００に投影された画像を電気掃除機１の延長管２０の傾きにより選択することができるため、ユーザーの動作に応じて適切な画像の投影を行う投影部３０を備えた電気掃除機１を実現することができる。
【００９０】
（変形例１）
実施形態４の変形例１として、充電台２上に電気掃除機１を設定している場合や電気掃除機１が壁に立てかけられている場合など、延長管２０が直立状態にあるときは、制御部１００は、投影部３０の電源をオフにする。
そして、延長管２０が傾けられて予め定められた角度内に入ったとき、制御部１００は、投影部３０の電源をオンにするようにしてもよい。
【００９１】
このようにすることで、非清掃時・清掃時に応じて、投影部３０の電源を手軽にオン・オフすることが可能となる。
【００９２】
（実施形態５）
次に、図１５および図１６に基づき、本発明の実施形態５に係る電気掃除機１の投影部３０から投影されたユーザー操作用の画像の操作手順について説明する。
【００９３】
図１５は、本発明の実施形態５の電気掃除機１の電気的な構成を示すブロック図である。また、図１６は、実施形態５の電気掃除機１の投影部３０から吸込口体４０の後方の投影領域２０４上に投影されたユーザー操作用の画像の操作手順の一例を示す説明図である。
【００９４】
図１５に示すように、本発明の実施形態５に係る電気掃除機１は、制御部１００、バッテリー１３、電動送風機１６、記憶部１８、投影部３０、吸気口１６１、排出口１６２、人体検知センサ１９および傾き検知センサ２１を備える。
【００９５】
実施形態５において、図１６に示すように、投影部３０は、吸込口体４０の後方の投影領域２０４上に所定の画像を表示させる。
図１６（Ａ）においては、「１」、「２」、「３」などの数字の列が表示されている。
【００９６】
ここで、ユーザーが延長管２０を投影領域２０４上で足を横方向に滑らす動きをする。
このとき、人体検知センサ１９は、ユーザーの足の動きを検知し、制御部１００は、図１６（Ｂ）に示すように、当該足の動きに応じて投影領域２０４上に投影された画像を左方向にスクロールさせる。
なお、右方向にスクロールさせるようにしてもよい。
【００９７】
次に、図１６（Ｃ）に示すように、所望の画像が投影領域２０４の中央にきたとき、ユーザーは、当該画像を足で踏んで画像を選択する。
また、短い時間に足を２回踏んで画像の選択を確定させるようにしてもよい。
制御部１００は、画像の選択が確定すると、当該画像に対応した機能を実行させる。
【００９８】
このように、投影領域２００に投影された画像を足の動きのみで選択することができるため、ユーザーの動作に応じて適切な画像の投影を行う投影部３０を備えた電気掃除機１を実現することができる。
【００９９】
（実施形態６）
次に、図１７および図１８に基づき、本発明の実施形態６に係る電気掃除機１の投影部３０からの画像の投影手順について説明する。
【０１００】
図１７は、本発明の実施形態６の電気掃除機１の電気的な構成を示すブロック図である。また、図１８は、実施形態６の電気掃除機１の投影部３０から吸込口体４０の後方の投影領域２０４上に投影されたユーザーへの表示用の画像の一例を示す説明図である。
【０１０１】
図１７に示すように、この発明の実施形態１における電気掃除機１は、制御部１００、バッテリー１３、電動送風機１６、記憶部１８、投影部３０、吸気口１６１、排出口１６２、傾き検知センサ２１および振動検知センサ２２を備える。
【０１０２】
振動検知センサ２２は、ジャイロセンサで電気掃除機１の本体に生じた角速度を検知することによって、本体に加わる振動を検知するセンサである。
【０１０３】
図１８（Ａ）に示すように、延長管２０が左方向に傾けられたことを傾き検知センサ２１が検知したとき、制御部１００は、投影部３０を制御して、延長管２０の右側後方の投影領域２０４Ｒ上に画像を投影させる。
【０１０４】
また、図１８（Ｂ）に示すように、延長管２０が右方向に傾けられたことを傾き検知センサ２１が検知したとき、制御部１００は、投影部３０を制御して、延長管２０の左側後方の投影領域２０４Ｌ上に画像を投影させる。
【０１０５】
また、電気掃除機１の充電時や収納時など、通常の清掃時とは異なる状況にあることを電気掃除機１の本体の傾きから傾き検知センサ２１が検知した場合、制御部１００は、投影部３０を制御して、床面の充電台２のない場所や、壁面や天井などの適切な位置に画像を投影させる。
【０１０６】
また、電気掃除機１の延長管２０が上方を向いた場合、棚の上などの高所を掃除するものと考えられるため、制御部１００は、投影部３０を制御して、天井に画像を投影させる。
【０１０７】
また、電気掃除機１の延長管２０の傾きが水平方向を向いた場合は、階段を掃除するものと考えられるため、制御部１００は、投影部３０を制御して、例えば、階段横の壁面に画像を投影させる。
【０１０８】
また、清掃時に電気掃除機１の本体が激しく振動した場合に、振動検知センサ２２の検知結果に応じて、画像のブレを抑える。
【０１０９】
このように、投影領域２００に投影された画像を電気掃除機１の傾きに応じてユーザーが視認しやすい位置に変更し、また、電気掃除機１の振動の大きさに応じて画像のブレを抑えることにより、ユーザーの動作に応じて適切な画像の投影を行う投影部３０を備えた電気掃除機１を実現することができる。
【０１１０】
（実施形態７）
次に、図１９〜図２１に基づき、本発明の実施形態７に係る電気掃除機１の投影部３０からの画像の投影手順について説明する。
【０１１１】
図１９は、本発明の実施形態７の電気掃除機１の電気的な構成を示すブロック図である。また、図２０および図２１は、実施形態７の電気掃除機１の投影部３０から吸込口体４０の前方の投影領域２０１上に投影されたユーザーへの表示用の画像の一例を示す説明図である。
【０１１２】
図１９に示すように、この発明の実施形態１における電気掃除機１は、制御部１００、バッテリー１３、電動送風機１６、記憶部１８、投影部３０、吸気口１６１、排出口１６２および速度センサ２３を備える。
【０１１３】
速度センサ２３は、吸込口体４０に設けられた車輪の回転数から吸込口体４０の移動速度と方向を検知する。
【０１１４】
図２０（Ａ）に示すように、制御部１００は、速度センサ２３によって検知された吸込口体４０の移動速度に応じて、適切な移動速度を示すアニメーション画像を投影部３０から吸込口体４０の前方の投影領域２０１上に投影させる。
【０１１５】
図２０（Ａ）〜（Ｄ）において、吸込口体４０の横の矢印は吸込口体４０の移動速度を表し、投影領域２０１内の矢印は、投影領域２０１上に表示された波線画像の移動速度を表す。
なお、これらの矢印は、波線および吸込口体の移動速度の大きさを示すために、説明の便宜上記載したものであり、投影された画像ではない。
【０１１６】
図２０（Ａ）に示すように、投影領域２０１上に投影された波線画像は、後方から前方に流れるように投影領域２０１内にアニメーション表示される。
ユーザーに、アニメーション表示された波線画像の速度に合わせるように、吸込口体４０を移動させるように促す。
【０１１７】
制御部１００は、速度センサ２３によって検知された吸込口体４０の移動速度に応じて、波線画像の速度を変化させる。
図２０（Ｂ）において、吸込口体４０の速度が増すにつれて、波線画像の速度が低下している。
【０１１８】
そして、吸込口体４０の速度が適切な速度に達したとき、図２０（Ｃ）に示すように、制御部１００は、波線画像の動きが止まったように表示させる。
【０１１９】
一方、吸込口体４０の速度が適切な速度よりも大きくなったとき、図２０（Ｄ）に示すように、制御部１００は、波線画像が前方から後方に移動するようにアニメーション表示させることにより、ユーザーに速度を遅くするように促す。
【０１２０】
このように、吸込口体４０の速度に応じて投影領域２０１に投影されたアニメーション画像の速度や方向を適宜変化させ、吸込口体４０の適切な速度を表示することにより、ユーザーの動作に応じて適切な画像の投影を行う投影部３０を備えた電気掃除機１を実現することができる。
【０１２１】
吸込口体４０の移動速度は、速すぎると掃除が不完全になり、遅すぎると掃除にかかる時間が必要以上に長くなる。
そのため、吸込口体４０の最適な速度を示すアニメーション画像を投影領域２０１に投影することにより、実際の吸込口体４０の動きが適当か否かをユーザーに示すことで、効率のよい清掃作業をガイドすることが可能となる。
【０１２２】
（変形例１）
実施形態７の変形例１として、図２１（Ａ）〜（Ｄ）に示すように、吸込口体４０の速度に応じて、投影領域２０１上に投影された波線画像の振幅を変化させるようにしてもよい。
【０１２３】
図２１（Ａ）に示すように、制御部１００は、速度センサ２３によって検知された吸込口体４０の移動速度に応じて、波線画像の振幅を変化させたアニメーション画像を投影部３０から吸込口体４０の前方の投影領域２０１上に投影させる。
【０１２４】
図２１（Ｂ）〜（Ｄ）において、吸込口体４０の横の矢印は吸込口体４０の移動速度を表す。
なお、これらの矢印は、吸込口体の移動速度の大きさを示すために、説明の便宜上記載したものであり、投影された画像ではない。
【０１２５】
制御部１００は、速度センサ２３によって検知された吸込口体４０の移動速度に応じて、波線画像の振幅を変化させる。
図２１（Ｂ）において、吸込口体４０の速度が増すにつれて、波線画像の振幅が小さくなる。
【０１２６】
そして、吸込口体４０の速度が適切な速度に達したとき、図２１（Ｃ）に示すように、制御部１００は、波線画像の振幅がなくなり、平坦な直線画像になったように表示させる。
また、吸込口体４０の速度が適切な速度よりも大きくなると、図２１（Ｄ）に示すように、図２１（Ｂ）とは逆振幅の波線画像が表示され、速度が増すにつれて振幅が大きくなる。
【０１２７】
このように、ユーザーは、波線画像が平坦な直線画像に変化するように吸込口体４０の速度を調節することで、最適な速度を実現することができる。
また、波線の速度と波線の振幅の変化を組み合わせてもよい。
さらに、実施形態７と同様に矢印を組み合わせてもよい。
【０１２８】
このようにすれば、ユーザーは直観的に吸込口体４０を最適な速度で移動させることが可能になる。
【０１２９】
（変形例２）
また、変形例２として、制御部１００は、波線画像の向きを任意の向きに傾けるように投影領域２０１に投影することで、ユーザーに吸込口体４０の最適な方向を表示させるようにしてもよい。
【０１３０】
（変形例３）
また、変形例３として、制御部１００は、波線画像の速度や振幅の変化を組み合わせることで、吸込口体４０の最適な旋回速度を表示するようにしてもよい。
【０１３１】
（変形例４）
また、変形例４として、制御部１００は、吸込口体４０の移動速度が投影領域２０１に投影された波線画像の表示に合致した場合、高い点数を表示させ、合致しない場合は、波線を赤色で点滅させるなどの演出を行うようにしてもよい。
このようにすれば、ユーザーがゲーム感覚で掃除を楽しむことが可能となる。
【０１３２】
（実施形態８）
次に、図２２および図２３に基づき、本発明の実施形態８に係る電気掃除機１の投影部３０からの画像の投影手順について説明する。
【０１３３】
図２２は、本発明の実施形態８の電気掃除機１の電気的な構成を示すブロック図である。図２３は、実施形態８の電気掃除機１の投影部から投影領域２００上に投影された画像の一例を示す説明図である。
【０１３４】
図２２に示すように、この発明の実施形態１における電気掃除機１は、制御部１００、バッテリー１３、電動送風機１６、記憶部１８、投影部３０、吸気口１６１、排出口１６２および床面検知センサ２４を備える。
【０１３５】
床面検知センサ２４は、投影領域２００の床面に光を照射し、反射光の波長を分析することによって当該床面の材質の色調を検知する。
床面検知センサ２４は、吸込口体４０に設けてもよいし、投影部３０の光を流用してもよい。
【０１３６】
床面検知センサ２４は、反射光内に含まれる種々の波長から床面の色調を正確に判別できるのが理想的だが、例えば、赤色の波長の光のみを検知して、その吸収量の違いから床面の明暗を判別できるだけでもよい。
【０１３７】
図２３（Ａ）に示すように、床面検知センサ２４が検知した床面の色調が明るい色のとき、制御部１００は、床面の色調に対して濃い色の画像を投影領域２００に投影させる。
一方、図２３（Ｂ）に示すように、床面検知センサ２４が検知した床面の色調が暗い色のとき、制御部１００は、床面の色調に対して明るい色の画像を投影領域２００に投影させる。
【０１３８】
このように、投影領域２００の床面の色調に応じて、ユーザーがより視認しやすい適切な色調や明るさの画像を投影するため、ユーザーの掃除場所を反映した適切な画像の投影を行う投影部３０を備えた電気掃除機１を実現することができる。
【０１３９】
例えば、濃い色の床面の場合は、濃い色の画像が見えにくくなるため、白を基調とした明るい色調の画像を投影するのが好ましい。
【０１４０】
床面の色調や素材によっては、投影した画像が鮮明に見えにくかったりすることがあるため、床面の色調や素材に応じて適切な画像を投影する。
また、掃除の時間帯に応じて適切な明るさで画像を投影するようにすれば視認性が向上するため、清掃時のユーザーの利便性が向上する。
【０１４１】
（変形例）
実施形態８の変形例として、吸込口体４０に設けられた回転ブラシの負荷や回転速度に応じて、床面の材質を判別し、負荷の大きい絨毯素材の場合は、画像の輝度を上げ、負荷の小さいフローリングや畳の場合は、画像の輝度を下げるようにしてもよい。
【０１４２】
このように、投影領域２００の床面の材質に応じて適切な輝度の画像を投影するため、ユーザーの掃除場所を反映した適切な画像の投影を行う投影部３０を備えた電気掃除機１を実現することができる。
【０１４３】
床面の材質によっては、投影した画像が鮮明に見えにくかったりすることがあるため、床面の材質に応じて適切な画像を投影する。
特に、毛足の長い絨毯の上に画像を投影した場合、輝度を上げることで認識しやすくなるため、清掃時のユーザーの利便性が向上する。
【０１４４】
（実施形態９）
次に、実施形態９として、操作部１１ｅに指先で操作可能なジョイスティックを設け、指先の動きで方向指示を行うことにより、投影領域２００に投影された画像をスクロールや選択・確定をできるようにしてもよい。
【０１４５】
この場合、ジョイスティックを左右方向に傾けたときに画像をスクロールさせ、ジョイスティックを縦方向に傾けたときに画像の選択・確定をできるようにする。
【０１４６】
このように、操作部１１ｅにジョイスティックを設けることにより、ユーザーは、電気掃除機１から手を離すことなく、投影領域２００に投影された画像の選択操作が可能となる。
【０１４７】
（変形例１）
また、実施形態９の変形例１として、ハンドル１１ｃを左右にひねることにより、投影領域２００に投影された画像の選択操作を行うことができる操作部を設けるようにしてもよい。
【０１４８】
また、ハンドル１１ｃに回動可能なグリップを設け、当該グリップを左右にひねることにより、投影領域２００に投影された画像の選択操作を行うことができる操作部を設けるようにしてもよい。
また、ハンドル１１ｃまたは前記グリップを握ったときに、投影部３０の電源が入るようにしてもよい。
【０１４９】
（変形例２）
また、変形例２として、操作部１１ｅにタッチパッドを設け、当該タッチパッドを指先で操作することにより、投影領域２００に投影された画像の選択操作を行うことができるようにしてもよい。
【０１５０】
また、操作部１１eに左矢印ボタン、右矢印ボタン、選択ボタンを設けるようにしてもよい。
【０１５１】
（実施形態１０）
次に、図２４に基づき、本発明の実施形態１０に係る電気掃除機１について説明する。
【０１５２】
図２４は、本発明の実施形態１０の電気掃除機１の電気的な構成を示すブロック図である。
【０１５３】
図２４に示すように、この発明の実施形態１における電気掃除機１は、制御部１００、バッテリー１３、電動送風機１６、記憶部１８、投影部３０、吸気口１６１、排出口１６２および音声入力部２５を備える。
【０１５４】
音声入力部２５は、掃除中の騒音の影響を受けにくく、かつ、ユーザーの声を拾いやすい位置（例えば、操作部１１ｅの近傍など）に設けることが望ましい。
【０１５５】
また、電気掃除機１と無線（または有線）通信可能なヘッドセットをユーザーが装着し、当該ヘッドセットを通じて音声を出力するようにしてもよい。
【０１５６】
掃除中の騒音発生箇所としては、主に電動送風機１６やパワーブラシ、集塵ユニット１２などがあげられる。
【０１５７】
制御部１００は、例えば、電気掃除機１の吸引強度を変化させる場合は、「弱く」、「強く」など、投影領域２００に投影された画像をスクロールさせる場合は、「右」、「左」など、確定する場合は「ＯＫ」の音声入力を受け付け、当該音声入力に応じた処理を実行する。
【０１５８】
このように、投影領域２００に表示された画像に応じた音声コマンドの入力を受け付けることにより、ユーザーの動作に応じて適切な画像の投影を行う投影部３０を備えた電気掃除機１を実現することができる。
【０１５９】
（実施形態１１）
次に、図２５に基づき、本発明の実施形態１１に係る電気掃除機１について説明する。
【０１６０】
図２５は、本発明の実施形態１１の電気掃除機１の電気的な構成を示すブロック図である。
【０１６１】
図２５に示すように、この発明の実施形態１における電気掃除機１は、制御部１００、バッテリー１３、電動送風機１６、記憶部１８、投影部３０、吸気口１６１、排出口１６２および音声出力部２６を備える。
【０１６２】
音声出力部２６は、掃除中の騒音の影響を受けにくく、かつ、ユーザーが聴き取りやすい位置（例えば、操作部１１ｅの近傍など）に設けることが望ましい。
【０１６３】
また、電気掃除機１と無線（または有線）通信可能なヘッドセットをユーザーが装着し、当該ヘッドセットを通じて音声を出力するようにしてもよい。
【０１６４】
制御部１００は、投影領域２００に投影された画像が文字・音声情報を含む場合で、絨毯など凹凸のある材質の床面上に画像が投影されて視認しづらい場合に、当該画像に対応する音声情報を音声出力部２６に出力させる。
【０１６５】
このように、投影領域２００に表示された画像に応じた音声情報を出力させることにより、読み取りづらい画像の情報も容易に判断できるため、ユーザーの利便性を向上させる投影部３０を備えた電気掃除機１を実現することができる。
【０１６６】
また、制御部１００は、ユーザーが視認しづらい場合のみに限らず、常に音声出力をするようにしてもよい。
【０１６７】
（実施形態１２）
次に、図２６および図２７に基づき、本発明の実施形態１２に係る電気掃除機１について説明する。
【０１６８】
図２６は、本発明の実施形態１２の電気掃除機１の電気的な構成を示すブロック図である。また、図２７は、実施形態１２の電気掃除機１の投影部３０から投影領域２００上に投影された画像の一例を示す説明図である。
【０１６９】
図２６に示すように、この発明の実施形態１における電気掃除機１は、制御部１００、バッテリー１３、電動送風機１６、記憶部１８、投影部３０、吸気口１６１、排出口１６２および位置情報検出部２７を備える。
【０１７０】
位置情報検出部２７は、例えば、ＧＰＳ（Global Positioning System）から取得した情報等に基づき、電気掃除機１の位置情報を取得する部分である。
【０１７１】
制御部１００は、走行すべき領域の地図情報と移動経路情報とを予め記憶部１８に記憶させ、位置情報検出部２７から取得した情報に基づき、図２７のような室内の清掃マップを作成する。
【０１７２】
また、制御部１００は、パソコンなどで別途作成された室内マップを読み込むようにしてもよい。
【０１７３】
このとき、図２７に示すように、清掃マップには、電気掃除機１の位置および未清掃領域ＵＣＡ１〜３などが表示される。
【０１７４】
制御部１００は、掃除度に応じて清掃マップを色分けすることにより、ユーザーが直観的に掃除の程度を認識できるようにしてもよい。
図２７において、未清掃領域ＵＣＡ２は、未清掃領域ＵＣＡ１よりも濃い色で表示され、汚れの程度が大きいことを示している。
【０１７５】
また、汚れの激しい領域を赤色で表示し、汚れのなくなった領域を緑色で表示するなど、汚れの程度に応じて色分けするようにしてもよい。
なお、汚れの程度は、制御部１００が過去の掃除において、各領域において塵埃を吸い込んだ量を学習することで判断し、色分けするようにしてもよい。
【０１７６】
このように、投影領域２００に表示された画像に室内の掃除の状況を示す清掃マップを出力させることにより、ユーザーの動作に応じて適切な画像の投影を行う投影部３０を備えた電気掃除機１を実現することができる。
【０１７７】
（変形例）
また、実施形態１２の変形例として、掃除用のゲームアプリとして、未清掃領域ＵＣＡにモンスター等が出現するようにしてもよい。
この場合、汚れの程度に応じてモンスターの体力が定められ、清掃が完了したときにモンスターが消滅するなどの演出がなされるようにしてもよい。
【０１７８】
また、過去の掃除によるゴミの分析結果から、ダニが多く含まれた場所にはダニのモンスターを出現させ、花粉が多く含まれた場所には植物のモンスターを出願させるなど、ゴミの種類に応じたモンスターを出願させるようにしてもよい。
【０１７９】
このように、ゲームアプリとして、投影領域２００に表示された画像に室内の掃除の状況を示す清掃マップを出力させることにより、ユーザーはゲームを楽しみながら掃除を行うことができ、かつ、ユーザーの動作に応じて適切な画像の投影を行う投影部３０を備えた電気掃除機１を実現することができる。
【０１８０】
「ユーザーの動作および前記画像の内容に応じて予め定められた一の前記投影領域に前記画像を投影する」は、例えば、ユーザーが操作ガイドやナビゲーションに係る画像を見たい場合は、吸込ノズルの前方に当該画像を投影するなどである。
また、ユーザーが壁際を掃除している場合は、ユーザーからの指示に応じて、壁際から離れた床面か、あるいは壁に画像を投影させる。
【０１８１】
また、本発明の電気機器は、次のように構成されてもよく、それらが適宜組み合わされてもよい。
【０１８２】
（２）前記投影部は、複数の投影領域に前記画像を投影可能に構成され、前記複数の投影領域を切り替えて任意の一の前記投影領域に前記画像を投影するか、または任意の２以上の前記投影領域に同時に前記画像を投影するものであってもよい。
【０１８３】
このようにすれば、ユーザーの動作に応じて複数の投影領域を切り替えて任意の一の投影領域または任意の２以上の投影領域に適切な画像の投影を行うプロジェクターを備えた電気掃除機を実現できる。
【０１８４】
（３）前記吸引部または前記把持部の傾きを検知する傾き検知センサをさらに備え、前記投影部は、前記吸引部または前記把持部の傾きに応じて、前記投影領域を切り替えて前記画像を投影するものであってもよい。
【０１８５】
このようにすれば、電気掃除機の吸引部または把持部の傾きに応じて、投影領域を切り替えて画像が投影されるため、ユーザーの動作に応じて適切な画像の投影を行うプロジェクターを備えた電気掃除機が実現できる。
【０１８６】
（４）前記吸引部または前記把持部の傾きを検知する傾き検知センサをさらに備え、前記投影部は、前記吸引部または前記把持部の傾きに応じて、前記投影部が投影すべき画像の内容を変化させるものであってもよい。
【０１８７】
「前記吸引部または前記把持部の傾きに応じて、前記投影部が投影すべき画像の内容を変化させる」は、例えば、吸引部または把持部の左右方向に傾斜させた場合、左右方向に投影画像をスクロールさせることなどがあげられる。
この場合、吸引部または把持部の傾斜角度が急なほど、投影画像のスクロールの速度が上がるようにしてもよい。
【０１８８】
このようにすれば、電気掃除機の吸引部または把持部の傾きに応じて、投影画像の内容が変化するため、ユーザーの動作に応じて適切な画像の投影を行うプロジェクターを備えた電気掃除機が実現できる。
【０１８９】
（５）前記掃除機本体の各部の動作を制御し、前記吸引部または前記把持部の傾きに応じて予め定められた処理を実行する傾き制御部をさらに備え、前記傾き制御部は、前記吸引部または前記把持部の傾きに応じて、前記画像の投影に係る予め定められた処理を実行するものであってもよい。
【０１９０】
「前記吸引部または前記把持部の傾きに応じて、前記画像の投影に係る予め定められた処理を実行する」とは、例えば、投影部の電源がオフのときに、ユーザーが吸引部または把持部を手前に倒すと、投影部の電源をオンにするなどの処理を実行する。
【０１９１】
また、特定の画像が表示されているときに、ユーザーが吸引部または把持部を手前に倒すと、当該画像が選択または確定されたものとして電気掃除機１の各部の処理を実行するようにしてもよい。
【０１９２】
このようにすれば、電気掃除機の吸引部または把持部の傾きに応じて、画像の投影に係る所定の処理が実行されるため、ユーザーの動作に応じて適切な画像の投影を行うプロジェクターを備えた電気掃除機が実現できる。
【０１９３】
（６）障害物の位置を検知する障害物検知センサと、前記掃除機本体の各部の動作を制御し、ユーザーの動作に応じて予め定められた処理を実行する動作制御部とをさらに備え、前記投影部は、複数の操作用画像を含む画像を前記複数の投影領域に投影させ、前記障害物検知センサが、前記複数の操作用画像のうち、いずれか１つの前記操作用画像に対応する位置にユーザーの身体の一部を検知したとき、前記動作制御部は、前記操作用画像に対応した処理を実行するものであってもよい。
【０１９４】
「前記操作用画像に対応する位置にユーザーの身体の一部を検知したとき」とは、例えば、床面上に複数の操作用画像が投影された場合、一の操作用画像をユーザーが足で踏んだことを検知したときなどである。
【０１９５】
このようにすれば、投影された画像に応じて、身体による操作が可能になるため、ユーザーの動作に応じて適切な画像の投影を行うプロジェクターを備えた電気掃除機が実現できる。
【０１９６】
（７）前記画像の投影領域の色調を検知する色調検知部をさらに備え、前記投影部は、前記投影領域の色調に応じて、前記画像の色調を変化させるものであってもよい。
【０１９７】
このようにすれば、投影領域の色調に応じて適切な色調の画像を投影するため、ユーザーの掃除場所を反映した適切な画像の投影を行うプロジェクターを備えた電気掃除機が実現できる。
【０１９８】
（８）前記画像の投影領域の材質を検知する材質検知部をさらに備え、前記投影部は、前記投影領域の材質に応じて、前記画像の輝度を変化させるものであってもよい。
【０１９９】
このようにすれば、投影領域の材質に応じて適切な輝度の画像を投影するため、ユーザーの掃除場所を反映した適切な画像の投影を行うプロジェクターを備えた電気掃除機が実現できる。
【０２００】
（９）前記吸引部の床面に対する移動速度を検知する速度センサをさらに備え、前記投影部は、前記速度センサが検知した前記移動速度に基づき、掃除に適した前記移動速度を示す画像を表示するものであってもよい。
【０２０１】
このようにすれば、吸引部の移動速度に基づき、掃除に適した移動速度を示す画像を投影することにより、ユーザーの動作に応じて適切な画像の投影を行うプロジェクターを備えた電気掃除機が実現できる。
【０２０２】
以上、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０２０３】
１：電気掃除機、    ２：充電台、    １０：掃除機本体、    １１：駆動装置、    １１ａ：本体部、    １１ｂ：バッテリー装着部、    １１ｃ：ハンドル（把持部）、    １１ｄ：吸込筒部、    １１ｅ：操作部、    １２：集塵ユニット、    １３：バッテリー、    １６：電動送風機、    １８：記憶部、    １９：人体検知センサ、    ２０：延長管、    ２１：傾き検知センサ、    ２２：振動検知センサ、    ２３：速度センサ、    ２４：床面検知センサ、    ２５：音声入力部、    ２６：音声出力部、    ２７：位置情報検出部、    ３０：投影部、    ４０：吸込口体、    １００：制御部、    １３１：充電用接続部、    １６１：吸気口、    １６２：排出口、    ２００〜２０４，２０４Ｒ，２０４Ｌ：投影領域、    ＲＭ：室内、    ＵＣＡ，ＵＣＡ１〜ＵＣＡ３：未清掃領域
【図１】
2020010888.tif 000003
【図２】
2020010888.tif 000004
【図３】
2020010888.tif 000005
【図４】
2020010888.tif 000006
【図５】
2020010888.tif 000007
【図６】
2020010888.tif 000008
【図７】
2020010888.tif 000009
【図８】
2020010888.tif 000010
【図９】
2020010888.tif 000011
【図１０】
2020010888.tif 000012
【図１１】
2020010888.tif 000013
【図１２】
2020010888.tif 000014
【図１３】
2020010888.tif 000015
【図１４】
2020010888.tif 000016
【図１５】
2020010888.tif 000017
【図１６】
2020010888.tif 000018
【図１７】
2020010888.tif 000019
【図１８】
2020010888.tif 000020
【図１９】
2020010888.tif 000021
【図２０】
2020010888.tif 000022
【図２１】
2020010888.tif 000023
【図２２】
2020010888.tif 000024
【図２３】
2020010888.tif 000025
【図２４】
2020010888.tif 000026
【図２５】
2020010888.tif 000027
【図２６】
2020010888.tif 000028
【図２７】
2020010888.tif 000029